(57)【要約】【課題】強度が高く細い素線からなるコイルスプリングを備え、直径を細くすることができ、挿入性とトルク伝達性と造影性に優れた医療用ガイドワイヤを提供する。【解決手段】遠位端側小径部と、遠位端側小径部よりも外径の大きい近位端側大径部とからなるワイヤ芯線を有する医療用ガイドワイヤにおいて、ワイヤ芯線の遠位端側小径部がコイルスプリングに覆われ、該コイルスプリングの少なくとも遠位端部の素線が白金タングステン合金線からなることを特徴とする医療用ガイドワイヤ。【選択図】図１
2006129935.tif 000002
【特許請求の範囲】
【請求項１】
遠位端側小径部と、遠位端側小径部よりも外径の大きい近位端側大径部とからなるワイヤ芯線を有する医療用ガイドワイヤにおいて、ワイヤ芯線の遠位端側小径部がコイルスプリングに覆われ、該コイルスプリングの少なくとも遠位端部の素線が白金タングステン合金線からなることを特徴とする医療用ガイドワイヤ。
【請求項２】
白金タングステン合金線のタングステン含有量が、３〜１５重量％である請求項１に記載の医療用ガイドワイヤ。
【請求項３】
白金タングステン合金線からなる素線の直径が０.０３〜０.０８ｍｍであり、コイルスプリングの外径が０.２０〜０.３５ｍｍである請求項１又は請求項２に記載の医療用ガイドワイヤ。
【発明の詳細な説明】
【技術分野】
【０００１】
本発明は、医療用ガイドワイヤに関する。さらに詳しくは、本発明は、強度が高く細い素線からなるコイルスプリングを備え、直径を細くすることができ、挿入性とトルク伝達性と造影性に優れた医療用ガイドワイヤに関する。
【背景技術】
【０００２】
経皮的冠動脈形成術（ＰＴＣＡ）、ステント植え込み術などの治療や、心臓血管造影などの検査においては、カテーテルが血管内の所定位置まで挿入される。カテーテルは柔軟な材質で構成されており、カテーテルを挿入する血管は複雑な形状に屈曲しているので、カテーテルのみでは、血管内の所定位置まで押し込むことは困難である。そのために、血管内にガイドワイヤを挿入し、そのガイドワイヤに沿ってカテーテルを血管内の所定の位置まで進めることが行われている。
ガイドワイヤには、押し込み抵抗が小さく、血管などを傷つけることなく容易に前進させることができる挿入性、手元側である近位端の回転力が遠位端まで伝わりやすく、血管の分岐選択で狙いの血管に前進させることができるトルク伝達性、使用時に血管の湾曲箇所を自由に通過し、永久歪みが生じない可撓性が要求される。
従来より、ステンレス鋼線の医療用ガイドワイヤが多く用いられてきた。ガイドワイヤは、屈曲した血管の中を、内壁を傷つけないように押し進めなければならない。このために、遠位端側の外径が近位端側の外径より小さいワイヤ芯線を用い、ワイヤ芯線の遠位端側の小径部がコイルスプリングにより覆われたガイドワイヤが使用されている。遠位端側において、ワイヤ芯線の外径の小さい部分をコイルスプリングで覆うことにより、遠位端側の可撓性が増して、屈曲した血管内での進行が容易となり、近位端側のワイヤ芯線の外径の大きい部分は、剛性が高く、挿入性が向上する。
血管に挿入されたガイドワイヤの遠位端は、Ｘ線透視により観察される。治療、検査などを行う血管の領域を造影剤により観察可能とする場合もあるので、ガイドワイヤの遠位端が血管の観察に大きい影響を与えないように、コイルスプリングの遠位端部側がＸ線不透過性の素線で作製される場合が多い。
図４は、医療用ガイドワイヤの一例の側面図である。この例のガイドワイヤは、近位端側の外径よりも遠位端側の外径が小さいワイヤ芯線８の遠位端側小径部がコイルスプリング９で覆われ、該コイルスプリングの遠位端部１０がＸ線不透過性の素線で形成され、該コイルスプリングの遠位端部を除く近位端側１１がＸ線透過性の素線で形成されている。
現在使用されている医療用ガイドワイヤの多くは、外径が０.３３５ｍｍである。また、コイルスプリングの素線の直径の多くは０.０５〜０.０７ｍｍであり、コイルスプリングの外径の多くは０.３００〜０.３６０ｍｍである。医療用ガイドワイヤが血管内に挿入され、特に血管狭窄部に挿通される場合や、脳血管などの細い血管に施術する場合などを考えると、ガイドワイヤは細いことが好ましい。しかし、ワイヤ芯線を細くすると、コイルスプリングの外径が小さくなり、さらにそれに伴ってコイルスプリングの素線の直径も小さくなる。コイルスプリングの素線を細くすると、ガイドワイヤの使用中にコイルスプリングが損傷を受ける危険が生じ、また、Ｘ線透視においてＸ線不透過性部分の視認が困難になる。このために、ガイドワイヤのワイヤ芯線の直径が小さく、コイルスプリングの素線が細く、しかもコイルスプリングの素線の強度が大きく、Ｘ線透視においてＸ線不透過部分を容易に視認することができる医療用ガイドワイヤが求められていた。
【発明の開示】
【発明が解決しようとする課題】
【０００３】
本発明は、強度が高く細い素線からなるコイルスプリングを備え、直径を細くすることができ、挿入性とトルク伝達性と造影性に優れた医療用ガイドワイヤを提供することを目的としてなされたものである。
【課題を解決するための手段】
【０００４】
本発明者らは、上記の課題を解決すべく鋭意研究を重ねた結果、白金タングステン合金線からなる素線は、強度が高く、Ｘ線不透過性に優れ、医療用ガイドワイヤのコイルスプリングの素線として白金タングステン合金線を用いることにより、外径が細く、安全で、Ｘ線不透過部の造影性が良好であり、優れた挿入性とトルク伝達性を有する医療用ガイドワイヤが得られることを見いだし、この知見に基づいて本発明を完成するに至った。
すなわち、本発明は、
（１）遠位端側小径部と、遠位端側小径部よりも外径の大きい近位端側大径部とからなるワイヤ芯線を有する医療用ガイドワイヤにおいて、ワイヤ芯線の遠位端側小径部がコイルスプリングに覆われ、該コイルスプリングの少なくとも遠位端部の素線が白金タングステン合金線からなることを特徴とする医療用ガイドワイヤ、
（２）白金タングステン合金線のタングステン含有量が、３〜１５重量％である(１)に記載の医療用ガイドワイヤ、及び、
（３）白金タングステン合金線からなる素線の直径が０.０３〜０.０８ｍｍであり、コイルスプリングの外径が０.２０〜０.３５ｍｍである(１)又は(２)に記載の医療用ガイドワイヤ、
を提供するものである。
さらに、本発明の好ましい態様として、
（４）直径０.０５ｍｍの素線を用いて測定した白金タングステン合金線からなる素線の引張強度が、１,５００〜２,０００Ｎ／ｍｍ2である(１)ないし(３)のいずれか１項に記載の医療用ガイドワイヤ、
を挙げることができる。
【発明の効果】
【０００５】
本発明の医療用ガイドワイヤは、引張強度が大きく、Ｘ線不透過性が良好な白金タングステン合金線をコイルスプリングの素線として用いるので、コイルスプリングの素線を細くすることができ、したがってワイヤ芯線も細くして、外径の小さい操作性の良好な医療用ガイドワイヤとすることができる。タングステン含有量が３〜１５重量％の白金タングステン合金線をコイルスプリングの素線とする本発明の医療用ガイドワイヤは、挿入性、トルク伝達性及び造影性のすべてが良好である。
【発明を実施するための最良の形態】
【０００６】
本発明の医療用ガイドワイヤは、遠位端側小径部と、遠位端側小径部よりも外径の大きい近位端側大径部とからなるワイヤ芯線を有する医療用ガイドワイヤにおいて、ワイヤ芯線の遠位端側小径部がコイルスプリングに覆われ、該コイルスプリングの少なくとも遠位端部の素線が白金タングステン合金線からなる医療用ガイドワイヤである。
図１は、本発明の医療用ガイドワイヤの一態様のワイヤ芯線の側面図及びワイヤ芯線の遠位端側小径部をコイルスプリングで覆った状態を示す側面図である。本態様のワイヤ芯線１は、遠位端側小径部２と遠位端側小径部よりも外径の大きい近位端側大径部３とからなり、遠位端にボール部４が設けられている。ワイヤ芯線の遠位端側小径部は、コイルスプリング５に覆われ、コイルスプリングの遠位端部の素線が白金タングステン合金線６からなり、コイルスプリングの遠位端部を除く部分の素線がステンレス鋼線７からなる。
【０００７】
本発明において、ワイヤ芯線の長さに特に制限はなく、ガイドワイヤの使用目的に応じて適宜選択することができるが、通常は８００〜３,５００ｍｍであることが好ましく、１,０００〜２,０００ｍｍであることがより好ましい。ワイヤ芯線の近位端側大径部の直径は、０.２０〜０.３５ｍｍであることが好ましく、０.２３〜０.３０ｍｍであることがより好ましい。近位端側大径部の直径が０.２０ｍｍ未満であると、ガイドワイヤの剛性が不足して操作性が不良となるおそれがある。近位端側大径部の直径が０.３５ｍｍを超えると、細い血管への挿入が困難となるおそれがある。
本発明において、ワイヤ芯線の遠位端側小径部の長さは、１００〜５００ｍｍであることが好ましく、２００〜４００ｍｍであることがより好ましい。遠位端側小径部の外径は、０.０４〜０.１６ｍｍであることが好ましく、０.０６〜０.１２ｍｍであることがより好ましい。遠位端側小径部の外径が０.０４ｍｍ未満であると、遠位端部の剛性が不足してガイドワイヤの操作性が不良となるおそれがある。遠位端側小径部の外径が０.１６ｍｍを超えると、遠位端部の柔軟性が不足してガイドワイヤの操作性が不良となるおそれがある。
【０００８】
本発明において、遠位端側小径部の外径は、図１に示すように、近位端側大径部から遠位端にかけて段階的に小さくすることができ、あるいは、近位端側大径部から遠位端にかけて連続的に小さくすることもできる。遠位端側小径部の外径を、近位端側大径部から遠位端にかけて小さくすることにより、遠位端に近づくほどガイドワイヤの柔軟性が増して、ガイドワイヤの操作性を向上することができる。本発明において、ワイヤ芯線に遠位端側小径部を形成する方法に特に制限はなく、例えば、外径が一定のワイヤ芯線材料を切削加工することができ、外径が一定のワイヤ芯線材料を伸線することもでき、外径が一定のワイヤ芯線材料を酸などの薬剤を用いて溶解することもでき、あるいは、外径の異なるワイヤ芯線材料を接合することもできる。本発明において、ワイヤ芯線の材質に特に制限はなく、例えば、ＳＵＳ３０４、ＳＵＳ３１６などのステンレス鋼や、金、白金、アルミニウム、タングステン、タンタル、チタン、ニッケル、イリジウム又はこれらの合金などを挙げることができる。
【０００９】
本発明のガイドワイヤは、遠位端に遠位端面が滑らかな曲面であるボール部を有することが好ましい。遠位端にボール部を設けることにより、ガイドワイヤの遠位端を滑らかにし、血管の内壁を損傷することなく、血管内を押し進めることができる。ボール部の材質に特に制限はなく、例えば、白金、金などの金属を挙げることができる。ボール部の遠位端への接合方法に特に制限はなく、例えば、溶接、ろう付けなどを挙げることができる。
本発明の医療用ガイドワイヤにおいては、ワイヤ芯線の遠位端側小径部を覆うコイルスプリングの少なくとも遠位端部の素線が白金タングステン合金線からなる。白金タングステン合金線は、引張強度が大きいので、細い素線を用いても丈夫で損傷を受けにくいコイルスプリングを作製することができる。また、白金タングステン合金線は、Ｘ線不透過性に優れるので、細い素線を用いてもＸ線透視において容易に視認することができる造影性の良好なガイドワイヤを得ることができる。
本発明において、遠位端部の白金タングステン合金線からなるコイルスプリングの長さは、１０〜５０ｍｍであることが好ましく、１５〜３０ｍｍであることがより好ましい。白金タングステン合金線からなるコイルスプリングの長さが１０ｍｍ未満であると、ガイドワイヤの造影性が不良となるおそれがある。白金タングステン合金線からなるコイルスプリングの長さが５０ｍｍを超えると、血管に造影剤を注入したときに血管の造影像の観察の支障となるおそれがある。
【００１０】
本発明のガイドワイヤにおいては、白金タングステン合金線のタングステン含有量が１〜２０重量％であることが好ましく、３〜１５重量％であることがより好ましい。タングステン含有量が１重量％未満の白金タングステン合金線は、引張強度が小さく、タングステン含有量が１重量％未満の白金タングステン合金線からなるコイルスプリングを備えたガイドワイヤは、挿入性とトルク伝達性が不良となるおそれがある。タングステン含有量が２０重量％を超える白金タングステン合金線は、引張強度とＸ線不透過性が小さく、タングステン含有量が２０重量％を超える白金タングステン合金線からなるコイルスプリングを備えたガイドワイヤは、挿入性とトルク伝達性と造影性が不良となるおそれがある。
本発明において、コイルスプリングの白金タングステン合金線以外の部分は、ステンレス鋼線であることが好ましい。ステンレス鋼線には、引張強度が大きい線種があり、Ｘ線透過性を有するのでＸ線透視の妨げとならず、極細ばね用線が市販されていて入手も容易である。使用するステンレス鋼線の鋼種に特に制限はなく、例えば、ＳＵＳ３０４、ＳＵＳ３１６、ＳＵＳ３１６Ｌなどを挙げることができる。本発明において、コイルスプリングの白金タングステン合金線とステンレス鋼線の接合方法に特に制限はなく、例えば、レーザー溶接、ろう付け、ハンダ付け、接着などを挙げることができる。
【００１１】
本発明のガイドワイヤにおいては、白金タングステン合金線からなる素線の直径が、０.０３〜０.０８ｍｍであることが好ましく、０.０４〜０.０６ｍｍであることがより好ましい。素線の直径が０.０３ｍｍ未満であると、強度が不足し、ガイドワイヤ用のコイルスプリングへの加工も困難となるおそれがある。素線の直径が０.０８ｍｍを超えると、ガイドワイヤの外径が太くなりすぎるおそれがある。
本発明においては、コイルスプリングの外径が０.２０〜０.３５ｍｍであることが好ましく、０.２３〜０.３０ｍｍであることがより好ましい。コイルスプリングの外径は、ワイヤ芯線の近位端側大径部の外径と略等しいことが好ましい。両者の外径を略等しくすることにより、遠位端から近位端までの外径が略一定で表面に凹凸のない医療用ガイドワイヤを得ることができる。コイルスプリングの外径が０.２０ｍｍ未満であると、ガイドワイヤの剛性が不足して操作性が不良となるおそれがある。コイルスプリングの外径が０.３５ｍｍを超えると、細い血管への挿入が困難となるおそれがある。
【００１２】
本発明において、コイルスプリングの素線の直径をｄ、コイルスプリングのピッチをｐとしたとき、ｐ＝１.０ｄ〜３.０ｄであることが好ましく、ｐ＝１.１ｄ〜２.０ｄであることがより好ましい。コイルスプリングのピッチとは、コイルスプリングの中心軸を含む断面で、コイルスプリングの中心軸に平行に測定した互いに隣り合う素線の中心の距離である。したがって、ｐ＝１.１ｄであると、隣り合う素線の間に０.１ｄの間隙が形成される。ｐ＞３.０ｄであると、コイルスプリングの弾性が不足して、ガイドワイヤの操作性が低下するおそれがある。
本発明のガイドワイヤにおいては、直径０.０５ｍｍの素線を用いて測定した白金タングステン合金線からなる素線の引張強度が、１,５００〜２,０００Ｎ／ｍｍ2であることが好ましい。素線の引張強度は、ＪＩＳ Ｚ ２２４１に従って測定することができる。白金タングステン合金線の引張強度が１,５００Ｎ／ｍｍ2以上であると、ガイドワイヤの使用中にコイルスプリングが損傷を受けるおそれがなく、安全に使用することができる。白金タングステン合金を素材として、引張強度が２,０００Ｎ／ｍｍ2を超える素線を製造することは、一般には困難である。
【００１３】
本発明の医療用ガイドワイヤは、遠位端からコイルスプリングに覆われた部分までが、親水性ポリマーにより被覆されてなることが好ましい。遠位端からコイルスプリングに覆われた部分までを親水性ポリマーで被覆することにより、ガイドワイヤの遠位端部に潤滑性が付与され、ガイドワイヤの挿入性が向上する。親水性ポリマーで被覆する方法に特に制限はなく、例えば、３官能性成分を含むポリエチレングリコールとジイソシアネート化合物との反応、ポリエチレングリコールと３官能性成分を含むポリイソシアネート化合物との反応、ポリエチレングリコールジ(メタ)アクリレートの重合反応などにより、架橋構造を有する親水性ポリマーの被覆を形成することができる。
本発明のガイドワイヤは、親水性ポリマーで被覆された部分を除く近位端側大径部が、摩擦抵抗の低いポリマーで被覆されてなることが好ましい。親水性ポリマーで被覆された部分を除く部分を摩擦抵抗の低いポリマーで被覆することにより、ガイドワイヤの挿入性とトルク伝達性を向上することができる。摩擦抵抗の低いポリマーとしては、例えば、フッ素樹脂、ポリアセタール、ポリエチレンなどを挙げることができる。
【実施例】
【００１４】
以下に、実施例を挙げて本発明をさらに詳細に説明するが、本発明はこれらの実施例によりなんら限定されるものではない。
なお、実施例及び比較例においては、コイルスプリングの素線として、伸線機を用いて伸線した直径０.０５ｍｍの金属線を、所定の温度で熱処理をして形成したものを用いた。
また、コイルスプリング素線の引張強度の測定と、ガイドワイヤの評価は、下記の方法により行った。
（１）引張強度
ＪＩＳ Ｚ ２２４１に従い、直径０.０５ｍｍの試験片を用いて、標点距離１００ｍｍで測定した。
（２）挿入性
図２に示す形状の長さ９００ｍｍ、内径２ｍｍの腔路を有するポリテトラフルオロエチレン製の体腔モデルを３７℃の恒温水槽に浸漬し、ガイドワイヤを手で押し込んで挿入し、感触により挿入性を評価した。
（３）トルク伝達性
図３に示す人の冠状動脈を模倣したポリテトラフルオロエチレン製のモデルを３７℃の恒温水槽に浸漬し、モデル内にガイドワイヤを挿入し、湾曲を与えた状態でガイドワイヤの近位端側を、モーターにより時計回り方向に７２０度回転させたときの遠位端の回転の状態を観察した。
（４）造影性
吸収体（幅２００ｍｍの水槽）を人間の胸部に見立て、水槽の外側の壁にガイドワイヤの遠位端部をセットし、電流１.０ｍＡ、電圧８５ｋＶでＸ線を照射させ、造影性の強弱を観察した。
【００１５】
実施例１
白金９９重量％、タングステン１重量％からなる白金タングステン合金線について、引張試験を行った。引張強度は、９５０Ｎ／ｍｍ2であった。
図１に示す全長１,４００ｍｍ、外径０.２６４ｍｍのガイドワイヤを作製した。ワイヤ芯線の材質はＳＵＳ３１６であり、遠位端から２５０ｍｍまでが外径０.０７０ｍｍ、２５０〜３００ｍｍが外径０.１１０ｍｍ、３００ｍｍから近位端まで外径０.２６０ｍｍとした。また、外径が０.２６０ｍｍ、長さが２０ｍｍであり、遠位端面が半球面であり、ワイヤ芯線の遠位端側小径部を挿入するための内径０.０６８ｍｍの穴を有する白金のボール部を作製した。
白金９９重量％、タングステン１重量％からなる直径０.０５ｍｍの白金タングステン合金線をコイリングすることにより、外径０.２６０ｍｍ、ピッチ０.０９ｍｍのコイルスプリングを作製した。この白金タングステン合金線のコイルスプリングを、コイルスプリングの中心軸に垂直な平面で、長さ２０ｍｍに切断した。
外径０.２６０ｍｍ、ピッチ０.０９ｍｍのＳＵＳ３１６のコイルスプリングを、コイルスプリングの中心軸に垂直な平面で、長さ２６０ｍｍに切断した。上記の長さ２０ｍｍの白金タングステン合金線のコイルスプリングと長さ２６０ｍｍのＳＵＳ３１６のコイルスプリングを、その切断面どうしをレーザー溶接で接続した。このコイルスプリングを、白金タングステン合金線を遠位端部としてワイヤ芯線の遠位端側小径部に装着し、ボール部を遠位端にろう付けした。
次いで、遠位端から２８０ｍｍの部分を、３官能性成分を含有するポリエチレングリコールとヘキサメチレンジイソシアネートとの反応により、厚さ０.００２ｍｍの架橋親水性ポリマーで被覆し、遠位端から３００ｍｍの位置より近位端までを、厚さ０.００２ｍｍのポリテトラフルオロエチレンで被覆し、ガイドワイヤを完成した。
得られたガイドワイヤの挿入性はやや不良であり、トルク伝達性はやや良好であり、造影性は良好であった。
実施例２
白金タングステン合金線として、白金９７重量％、タングステン３重量％からなる合金線を用いた以外は、実施例１と同じ操作を行った。
白金タングステン合金線の引張強度は、１,５００Ｎ／ｍｍ2であった。得られたガイドワイヤの挿入性、トルク伝達性、造影性は、いずれも良好であった。
実施例３
白金タングステン合金線として、白金９２重量％、タングステン８重量％からなる合金線を用いた以外は、実施例１と同じ操作を行った。
白金タングステン合金線の引張強度は、１,８５０Ｎ／ｍｍ2であった。得られたガイドワイヤの挿入性、トルク伝達性、造影性は、いずれも良好であった。
実施例４
白金タングステン合金線として、白金８５重量％、タングステン１５重量％からなる合金線を用いた以外は、実施例１と同じ操作を行った。
白金タングステン合金線の引張強度は、１,５００Ｎ／ｍｍ2であった。得られたガイドワイヤの挿入性、トルク伝達性、造影性は、いずれも良好であった。
実施例５
白金タングステン合金線として、白金８３重量％、タングステン１７重量％からなる合金線を用いた以外は、実施例１と同じ操作を行った。
白金タングステン合金線の引張強度は、９５０Ｎ／ｍｍ2であった。得られたガイドワイヤの挿入性はやや不良であり、トルク伝達性と造影性は、いずれもやや良好であった。
【００１６】
比較例１
白金タングステン合金線の代わりに、白金線を用いた以外は、実施例１と同じ操作を行った。
白金線の引張強度は、３００Ｎ／ｍｍ2であった。得られたガイドワイヤの挿入性は不良であり、トルク伝達性はやや不良であり、造影性は良好であった。
比較例２
白金タングステン合金線の代わりに、白金９０重量％、ニッケル１０重量％からなる白金ニッケル合金線を用いた以外は、実施例１と同じ操作を行った。
白金ニッケル合金線の引張強度は、７００Ｎ／ｍｍ2であった。得られたガイドワイヤの挿入性とトルク伝達性は、いずれもやや不良であり、造影性はやや良好であった。
比較例３
白金タングステン合金線の代わりに、白金９０重量％、イリジウム１０重量％からなる白金イリジウム合金線を用いた以外は、実施例１と同じ操作を行った。
白金イリジウム合金線の引張強度は、６５０Ｎ／ｍｍ2であった。得られたガイドワイヤの挿入性とトルク伝達性は、いずれもやや不良であり、造影性はやや良好であった。
実施例１〜５及び比較例１〜３の結果を、第１表に示す。
【００１７】
【表１】
2006129935.tif 000003
【００１８】
第１表に見られるように、白金タングステン合金線の引張強度は、白金線、白金ニッケル合金線、白金イリジウム合金線より大きく、特にタングステン含有量が３〜１５重量％の白金タングステン合金線の引張強度が大きい。また、タングステン含有量が３〜１５重量％の白金タングステン合金線からなるコイルスプリングを装着した実施例２〜４の医療用ガイドワイヤは、挿入性、トルク伝達性及び造影性がすべて良好である。
【産業上の利用可能性】
【００１９】
本発明の医療用ガイドワイヤは、引張強度が大きく、Ｘ線不透過性が良好な白金タングステン合金線をコイルスプリングの素線として用いるので、コイルスプリングの素線を細くすることができ、したがってワイヤ芯線も細くして、外径の小さい操作性の良好な医療用ガイドワイヤとすることができる。ガイドワイヤの直径を小さくすることにより、ガイディングカテーテルやバルーンカテーテルも細く、小型化して、患者に対する侵襲を少なくすることができる。タングステン含有量が３〜１５重量％の白金タングステン合金線をコイルスプリングの素線とする本発明の医療用ガイドワイヤは、挿入性、トルク伝達性及び造影性のすべてが良好である。
【図面の簡単な説明】
【００２０】
【図１】本発明の医療用ガイドワイヤの一態様の側面図である。
【図２】体腔モデルの説明図である。
【図３】冠状動脈モデルの説明図である。
【図４】従来のガイドワイヤの一例の側面図である。
【符号の説明】
【００２１】
１  ワイヤ芯線
２  遠位端側小径部
３  近位端側大径部
４  ボール部
５  コイルスプリング
６  白金タングステン合金線
７  ステンレス鋼線
８  ワイヤ芯線
９  コイルスプリング
１０  コイルスプリングの遠位端部
１１  コイルスプリングの近位端側
【図１】
2006129935.tif 000004
【図２】
2006129935.tif 000005
【図３】
2006129935.tif 000006
【図４】
2006129935.tif 000007